(57)【特許請求の範囲】
【請求項１】
調理作業を行うキッチン天板と、
前記キッチン天板が載置されて前記キッチン天板を支持するキッチン支持体と、
前記キッチン支持体における調理作業場の背面側に固定された背面キャビネットと、
前記キッチン天板の背面に配置されたカウンターと、
を有し、
前記カウンターは、前記背面キャビネットの上面に固定されて前記背面キャビネットに支持されており、
前記背面キャビネットは、前記キッチン支持体と略同じ高さを有しており、
前記カウンターを平面視した形状は、コーナー部を備える形状であり、
前記カウンターは前記キッチン支持体の側面位置にも配設されており、
前記キッチン天板の天板本体における背面および側面には前記カウンターが突き当てられ、
前記天板本体と前記カウンターとは、略面一に形成されており、
前記カウンターにおける前記キッチン天板に突き当てられた部分は、前記キッチン天板の前記背面および前記側面と同じ長さで形成されていることを特徴とするカウンター付キッチン。
【請求項２】
前記カウンターの裏面及び前記背面キャビネットの側面に取り付けられ、前記カウンターを支持する支持部材をさらに備える請求項１に記載のカウンター付キッチン。
【請求項３】
前記支持部材は、前記キッチン支持体の背面側に配置されたカウンターを支持する第１支持部材と、前記キッチン支持体の側面に配置されたカウンターを支持する第２支持部材と、を備え、
前記第１支持部材と前記第２支持部材とは、それぞれの端部が略平行となって向き合う位置まで延在している請求項２に記載のカウンター付キッチン。
【請求項４】
調理作業を行うキッチン天板と、
前記キッチン天板が載置されて前記キッチン天板を支持するキッチン支持体と、
前記キッチン支持体における調理作業場の背面側に固定された背面キャビネットと、
前記キッチン天板の背面に配置されたカウンターと、
を有し、
前記カウンターは、前記背面キャビネットの上面に固定されて前記背面キャビネットに支持されており、
前記カウンターの裏面及び前記背面キャビネットの側面に取り付けられ、前記カウンターを支持する支持部材をさらに備え、
前記カウンターを平面視した形状は、コーナー部を備える形状であり、
前記カウンターは前記キッチン支持体の側面位置にも配設されており、
前記支持部材は、前記キッチン支持体の背面側に配置されたカウンターを支持する第１支持部材と、前記キッチン支持体の側面に配置されたカウンターを支持する第２支持部材と、を備え、
前記第１支持部材と前記第２支持部材とは、それぞれの端部が略平行となって向き合う位置まで延在していることを特徴とするカウンター付キッチン。
【発明の詳細な説明】
【技術分野】
【０００１】
本発明は、カウンター付キッチンに関する。
【背景技術】
【０００２】
調理作業場とダイニングの間に配置されるいわゆる対面キッチンとして、従来、ダイニング側にカウンターを設けたいわゆるカウンター付キッチンがある。このカウンター付キッチンは、例えばキッチン支持体（キッチンキャビネットなど）のダイニング側にカウンターを突出させて取り付けられているものである。
【０００３】
このカウンター付キッチンとして、対面キッチンにおける小壁の上にカウンターを取り付け、小壁よりも調理作業場側をキッチンの天板として利用し、ダイニング側をカウンターとして利用するものがある（例えば、特許文献１参照）。このカウンターは、ダイニング側では桟木によって支持され、表面に表面材が取り付けられて利用されるものである。
【先行技術文献】
【特許文献】
【０００４】
【特許文献１】特開２０１０−７５３１０号公報
【発明の概要】
【発明が解決しようとする課題】
【０００５】
しかし、上記特許文献１に開示されたカウンター付キッチンでは、キッチン天板とカウンターとが共通の素材で形成されている。ところが、カウンターとキッチン天板とでは、求められる特性や機能性が異なることから、カウンターとキッチン天板とをそれぞれ独立した別体として製造することが要求されることがある。
【０００６】
カウンターとキッチン天板とを独立した別体として製造する場合、例えばキッチン天板をキッチン支持体、例えばキッチンキャビネットで支持し、キッチンキャビネットの背面側（ダイニング側）にカウンターを突き当てて固定することが考えられる。ところが、キッチンキャビネットの背面にカウンターを突き当てて固定する場合、カウンターの耐荷重への強度が不足するおそれがあった。
【０００７】
そこで、本発明の課題は、カウンターとキッチン天板とを独立して別体として設けた場合でも、カウンターの耐荷重を高めることができるカウンター付キッチンを提供することである。
【課題を解決するための手段】
【０００８】
本発明の一態様は、カウンター付キッチンであって、調理作業を行うキッチン天板と、前記キッチン天板が載置されて前記キッチン天板を支持するキッチン支持体と、前記キッチン支持体における調理作業場の背面側に固定された背面キャビネットと、前記キッチン天板の背面に配置されたカウンターと、を有し、前記カウンターは、前記背面キャビネットの上面に固定されて前記背面キャビネットに支持されており、前記背面キャビネットは、前記キッチン支持体と略同じ高さを有しており、前記カウンターを平面視した形状は、コーナー部を備える形状であり、前記カウンターは前記キッチン支持体の側面位置にも配設されており、前記キッチン天板の天板本体における背面および側面には前記カウンターが突き当てられ、前記天板本体と前記カウンターとは、略面一に形成されており、前記カウンターにおける前記キッチン天板に突き当てられた部分は、前記キッチン天板の前記背面および前記側面と同じ長さで形成されていることを特徴とする。
【０００９】
また、本発明の一態様は、上記のカウンター付キッチンであって、前記カウンターの裏面及び前記背面キャビネットの側面に取り付けられ、前記カウンターを支持する支持部材をさらに備える。
【００１１】
また、本発明の一態様は、前記支持部材は、前記キッチン支持体の背面側に配置されたカウンターを支持する第１支持部材と、前記キッチン支持体の側面に配置されたカウンターを支持する第２支持部材と、を備え、前記第１支持部材と前記第２支持部材とは、それぞれの端部が略平行となって向き合う位置まで延在している。
また、本発明の一態様は、調理作業を行うキッチン天板と、前記キッチン天板が載置されて前記キッチン天板を支持するキッチン支持体と、前記キッチン支持体における調理作業場の背面側に固定された背面キャビネットと、前記キッチン天板の背面に配置されたカウンターと、を有し、前記カウンターは、前記背面キャビネットの上面に固定されて前記背面キャビネットに支持されており、前記カウンターの裏面及び前記背面キャビネットの側面に取り付けられ、前記カウンターを支持する支持部材をさらに備え、前記カウンターを平面視した形状は、コーナー部を備える形状であり、前記カウンターは前記キッチン支持体の側面位置にも配設されており、前記支持部材は、前記キッチン支持体の背面側に配置されたカウンターを支持する第１支持部材と、前記キッチン支持体の側面に配置されたカウンターを支持する第２支持部材と、を備え、前記第１支持部材と前記第２支持部材とは、それぞれの端部が略平行となって向き合う位置まで延在していることを特徴とする。
【発明の効果】
【００１２】
本発明の一態様に係るカウンター付キッチンによれば、カウンターとキッチン天板とを独立して別体として設けた場合でも、カウンターの耐荷重を高めることができる。
【図面の簡単な説明】
【００１３】
【図１】一実施形態に係るカウンター付キッチンの斜視図である。
【図２】一実施形態に係るカウンター付キッチンの分解斜視図である。
【図３】一実施形態に係るカウンター付キッチンの平面図である。
【図４】（ａ）は、一実施形態に係るカウンター付キッチンの背面図、（ｂ）は、一実施形態に係るカウンター付キッチンの側面図である。
【図５】背面キャビネットとカウンターとの接合部を示す拡大図である。
【図６】支持金具の突き当て部分を示す拡大斜視図である。
【図７】他の実施形態に係るカウンター付キッチンの平面図である。
【発明を実施するための形態】
【００１４】
以下、本発明の一実施形態に係るカウンター付キッチンについて、図面を参照して具体的に説明する。図１は、一実施形態に係るカウンター付キッチンの斜視図である。図２は、一実施形態に係るカウンター付キッチンの分解斜視図である。図３は、一実施形態に係るカウンター付キッチンの平面図である。図４（ａ）は、一実施形態に係るカウンター付キッチンの背面図、（ｂ）は、一実施形態に係るカウンター付キッチンの側面図である。
【００１５】
図１〜図４に示すように、カウンター付キッチン１０は、キッチン支持体であるキッチンキャビネット１を備えている。キッチンキャビネット１には、キッチン天板２が載置されており、キッチンキャビネット１は、キッチン天板２を支持している。キッチン天板２は、天板本体２１を備えており、天板本体２１には、調理器具であるシンク２２及び加熱器具２３が設けられている。カウンター付キッチン１０は、図１に示すように、例えば調理作業等を行う調理作業場１００とダイニング２００との間に配設された対面キッチンであり、調理作業等を行う調理作業場１００の側を表面側とし、ダイニング２００が設けられている側を背面側とする。
【００１６】
また、キッチンキャビネット１の背面側には、背面キャビネット３が設けられている。背面キャビネット３は、キッチンキャビネット１と略同じ高さを有している。また、背面キャビネット３は、キッチンキャビネット１の背面側に図示しないボルト等によって固定されている。
【００１７】
背面キャビネット３は、長手方向に略同じ長さで３分割されており、第１背面キャビネット３１、第２背面キャビネット３２、及び第３背面キャビネット３３を備えて構成されている。第１背面キャビネット３１は、図２に示すように、第１函体部３１Ａを備えている。第１函体部３１Ａの背面側は開口部とされており、第１背面キャビネット３１は、開口部を塞ぐ第１幕板３１Ｂを備えて構成されている。また、第２背面キャビネット３２及び第３背面キャビネット３３は、第２函体部３２Ａ及び第３函体部３３Ａをそれぞれ備えている。第２函体部３２Ａ，第３函体部３３Ａは、背面側が開口部とされており、第２背面キャビネット３２及び第３背面キャビネット３３は、それらの開口部を塞ぐ第２幕板３２Ｂ及び第３幕板３３Ｂとをそれぞれ備えて構成されている。これらの第１背面キャビネット３１〜第３背面キャビネット３３は、いずれも６面体の箱状（６つの四角形で囲まれた立体）をなしている。また、第１背面キャビネット３１〜第３背面キャビネット３３で形成される背面キャビネット３も同様に、６面体の箱状（６つの四角形で囲まれた立体）をなしている。また、背面キャビネット３は、第１背面キャビネット３１〜第３背面キャビネット３３を有する３分割とされているが、分割されてないようにしてもよいし、２分割または４分割以上に分割されていてもよい。
【００１８】
第１幕板３１Ｂは、第１函体部３１Ａの開口部を塞いで釘等によって固定されている。このため、第１幕板３１Ｂは、開閉不能とされている。同様に、第２幕板３２Ｂ，第３幕板３３Ｂは、第２函体部３２Ａ，第３函体部３３Ａの開口部を塞いで釘等によって固定され、第２幕板３２Ｂ，第３幕板３３Ｂは、開閉不能とされている。ただし、第１函体部３１Ａ〜第３函体部３３Ａと第１幕板３１Ｂ〜第３幕板３３Ｂとをそれぞれ蝶番等で接続し、第１幕板３１Ｂ〜第３幕板３３Ｂを開閉可能となるようにしてもよいし、第１幕板３１Ｂ〜第３幕板３３Ｂの一部が開閉可能となるようにしてもよい。第１下幕板３６Ｂ〜第３下幕板３８Ｂが開閉可能である場合には、第１下函体部３６Ａ〜第３下函体部３８Ａに皿や茶碗といった食器等の収納物を収納可能となる。
【００１９】
また、キッチン天板２における天板本体２１における背面及び側面には、カウンター４が突き当てられている。天板本体２１とカウンター４とは、略面一に形成されており、天板本体２１とカウンター４とのそれぞれの表面における境目には、図示しないシール材が設けられている。カウンター４は、表面材が天板本体２１の表面材とは異なる素材である例えば木材で形成されている。
【００２０】
なお、天板本体２１の素材は、例えば人工大理石を用いることができる。ただし、カウンター４や天板本体２１の素材は、これらの素材以外の素材でもよい。また、カウンター４や天板本体２１の素材は、共通するものであってもよい。さらに、カウンター４及び天板本体２１の素材が共通する場合、カウンター４と天板本体２１とを一体的に形成してもよい。
【００２１】
カウンター４は、コーナー部を有し、平面視して略Ｌ字形状をなしており、長部４１と短部４２とを備えている。長部４１と短部４２とが切り替わる部分がコーナー部となる。このうちの長部４１がキッチンキャビネット１の背面側に突き当てられており、短部４２がキッチンキャビネット１の側面に突き当てられている。
【００２２】
背面キャビネット３の上面には、カウンター４の長部４１が固定されており、カウンター４は、背面キャビネット３によって支持されている。例えば、図５に示すように、カウンター４における長部４１の背面側にはボルト孔４１Ｈが形成されており、背面キャビネット３における第１函体部３１Ａの上面には貫通孔３１Ｈが形成されている。第１函体部３１Ａにおける貫通孔３１Ｈの下方からボルト４５が挿入され、カウンター４におけるボルト孔４１Ｈにねじ込まれていることにより、カウンター４が背面キャビネット３に固定される。
【００２３】
キッチンキャビネット１における側面には、化粧パネル５が取り付けられている。化粧パネル５は、キッチンキャビネット１の側面において、キッチンキャビネット１の上端部にまで延在しており、図示しないビス等によって取り付けられている。また、化粧パネル５の上方は、キッチン天板２の天板本体２１によって覆われている。
【００２４】
カウンター４における底面側には、支持部材である支持金具６が配設されている。支持金具６は、カウンター４における長部４１の底面側に配設される第１支持部材である長支持金具６１と、カウンター４における短部４２の底面側に配設される第２支持部材である短支持金具６２とを備えている。長支持金具６１及び短支持金具６２は、断面略円弧形状に適宜の凹部が形成された長尺材であり、例えば押出成形によって製造されている。
【００２５】
長支持金具６１の上端部近傍は、図３に示すように、カウンター４における長部４１の底面に対して、長側縦向ビス６３Ａによって接合されている。また、長支持金具６１の下端部近傍は、図４（ａ）に示すように、第１背面キャビネット３１の第１幕板３１Ｂ〜第３幕板３３Ｂに長側横向ビス６３Ｂによって接合されている。
【００２６】
長支持金具６１には、長側縦向ビス６３Ａを貫通させる貫通孔６１ａ（図６参照）が長支持金具６１の長手方向に略等間隔をおいて複数形成されており、長支持金具６１には、これらの貫通孔を形成するための長側第１凹部６１Ａが形成されている。また、長支持金具６１には、長側横向ビス６３Ｂを貫通させる貫通孔６１ｂ（図６参照）が長支持金具６１の長手方向に略等間隔をおいて複数形成されており、長支持金具６１には、これらの貫通孔６１ｂを形成するための長側第２凹部６１Ｂが形成されている。これらの長側第１凹部６１Ａ及び長側第２凹部６１Ｂは、図示しない保護パッキンによってシールされている。このため、長側縦向ビス６３Ａ及び長側横向ビス６３Ｂは、外部に対して隠蔽されている。
【００２７】
短支持金具６２は、断面略円弧形状を成す長尺材であるが、その長さは長支持金具６１の長さよりも短くされている。短支持金具６２の上端部近傍は、図３に示すように、カウンター４における短部４２の底面に対して、短側縦向ビス６４Ａ等によって接合されている。また、短支持金具６２の下端部近傍は、図４（ｂ）に示すように、化粧パネル５に短側横向ビス６４Ｂ等によって接合されている。
【００２８】
短支持金具６２には、短側縦向ビス６４Ａを貫通させる貫通孔６２ａ（図６参照）が短支持金具６２の長手方向に略等間隔をおいて複数形成されており、短支持金具６２には、これらの貫通孔６２ａを形成するための短側第１凹部６２Ａが形成されている。また、短支持金具６２には、短側横向ビス６４Ｂを貫通させる貫通孔６２ｂ（図６参照）が短支持金具６２の長手方向に略等間隔をおいて複数形成されており、短支持金具６２には、これらの貫通孔６２ｂを形成するための短側第２凹部６２Ｂが形成されている。これらの短側第１凹部６２Ａ及び短側第２凹部６２Ｂは、図示しない保護パッキンによってシールされている。このため、短側縦向ビス６４Ａ及び短側横向ビス６４Ｂは、外部に対して隠蔽されている。
【００２９】
また、長支持金具６１におけるカウンター４のコーナー部側端部は、図３及び図４（ａ）に示すように、端部側に行くほど背面キャビネット３から遠ざかるように傾斜が付されている。また、短支持金具６２におけるカウンター４のコーナー部側端部は、図３及び図４（ｂ）に示すように、端部側に行くほど化粧パネル５から遠ざかるように傾斜が付されている。
【００３０】
長支持金具６１及び短支持金具６２におけるコーナー部側端部には、それぞれ傾斜が付されていることにより、図６に示すように、長支持金具６１と短支持金具６２とは、それぞれの端部が略平行となって向き合う位置まで延在している。長支持金具６１と短支持金具６２の端部が向き合う位置には、仮想線で示すサイドキャップ６５が嵌め込まれている。
【００３１】
次に、カウンター付キッチン１０の取付手順について説明する。カウンター付キッチン１０を床等に固定して取り付ける際には、まず、キッチンキャビネット１を床面に固定し、キッチンキャビネット１にキッチン天板２を取り付ける。キッチン天板２を取り付けたら、背面キャビネット３の第１函体部３１Ａ〜第３函体部３３Ａをキッチンキャビネット１の背面側に固定する。このとき同時に、背面キャビネット３を床面に固定する。続いて、キッチンキャビネット１の側面に化粧パネル５を取り付ける。
【００３２】
キッチンキャビネット１に背面キャビネット３の第１函体部３１Ａ〜第３函体部３３Ａ及び化粧パネル５を取り付けたら、キッチン天板２における天板本体２１の背面及び側面に沿ってカウンター４を設置する。続いて、カウンター４を背面キャビネット３の第１函体部３１Ａ〜第３函体部３３Ａの上に仮置きする。それから、ボルト４５を背面キャビネット３の上面に形成された貫通孔３１Ｈ等を挟んでカウンター４の下面に形成されたボルト孔４１Ｈにねじ込み、背面キャビネット３にカウンター４を本固定する。こうして、背面キャビネット３によってカウンター４を支持する。そして、カウンター４の底部に長支持金具６１及び短支持金具６２を取り付ける。こうして、カウンター付キッチン１０が床面に取り付けられる。
【００３３】
このように、上記のカウンター付キッチン１０においては、キッチン天板２は、キッチンキャビネット１に搭載され、キッチン天板２の天板本体２１の背面及び側面にはカウンター４が配設されている。このため、キッチン天板２とカウンター４とは別体となっている。また、キッチンキャビネット１の背面には、背面キャビネット３が固定されている。カウンター４が背面キャビネット３に固定されていることにより、カウンター４の耐荷重が高められている。したがって、カウンター４とキッチン天板２とを独立して別体として設けた場合でも、カウンター４の耐荷重を高めることができる。
【００３４】
また、カウンター４の裏面及び背面キャビネット３の側面には、長支持金具６１が取り付けられている。この長支持金具６１によって、カウンター４が支持されていることにより、カウンター４の耐荷重をさらに高めることができる。また、長支持金具６１は、カウンター４と背面キャビネット３の近傍位置に配置されているので、カウンター付キッチン１０の外側からは見にくい位置に配置されている。このため、カウンター付キッチン１０の外観を損ねないようにすることができる。
【００３５】
さらに、カウンター４は、平面視した形状がコーナー部を備えるＬ字形状をなしており、キッチンキャビネット１の側面位置にも配置されている。このため、キッチン天板２の周囲に対してカウンター４を設置することができる。なお、平面視した形状がコーナー部を備える形状としては、背面部と一側面部にカウンターが配置されるＬ字形状とするほか、背面部と両側面部にカウンターが配置されるコ字形状としてもよい。
【００３６】
また、支持金具６は、カウンター４の長部４１に設けられる長支持金具６１と、短部４２に設けられる短支持金具６２を備えている。ここで、カウンター４のコーナー部で長支持金具６１と短支持金具６２とが向かい合うが、長支持金具６１と短支持金具６２の端部には、それぞれ傾斜が付されており、それぞれの端部が略平行となって向き合う位置まで延在している。このため、カウンター４のコーナー部の隅部におけるキッチンキャビネット１から遠い位置においても耐荷重を十分に高めることができる。
【００３７】
また、向かい合う長支持金具６１と短支持金具６２の端部の間に、サイドキャップ６５が嵌め込まれている。このため、長支持金具６１及び短支持金具６２の端部が露出しないようにすることができる。したがって、長支持金具６１及び短支持金具６２の端部が露出することによる不具合、例えば長支持金具６１及び短支持金具６２の端部への接触によって接触したものを傷つけることなどを抑制することができる。
【００３８】
以上、この発明の実施形態について図面を参照して詳述してきたが、具体的な構成はこの実施形態に限られるものではなく、この発明の要旨を逸脱しない範囲の設計等も含まれる。
【００３９】
例えば、上記実施形態では、カウンター４として平面視して略Ｌ字形状をなすコーナー部を有するカウンターを用いているが、図７に示すように、コーナー部を有しないカウンター４０をキッチンキャビネット１に取り付けるようにしてもよい。この場合、カウンター４０の背面側には、カウンター４０の長手方向の長さよりもわずかに短い支持金具６０を設けるようにしてもよい。
【００４０】
また、上記の実施形態では、キッチン天板２の天板本体２１とカウンター４とは、表面材が異なる素材で形成されているが、表面材が共通する素材で形成されていてもよい。また、支持金具６０は、その延在方向に交差する方向に沿った補強フレームなどを内蔵させるようにしてもよい。
【符号の説明】
【００４１】
１０…カウンター付キッチン
１…キッチンキャビネット（キッチン支持体）
２…キッチン天板
２１…天板本体
２２…シンク
２３…加熱器具
３…背面キャビネット
４…カウンター
４１…長部
４２…短部
６…支持金具（支持部材）
６１…長支持金具（第１支持部材）
６２…短支持金具（第２支持部材）
１００…調理作業場
【図１】
0006755663.tif 000002
【図２】
0006755663.tif 000003
【図３】
0006755663.tif 000004
【図４】
0006755663.tif 000005
【図５】
0006755663.tif 000006
【図６】
0006755663.tif 000007
【図７】
0006755663.tif 000008